(57)【特許請求の範囲】
【請求項１】
上ケースと下ケースとを蓋合わせ状に結合してなるケース本体と、前記ケース本体の周壁に設けたテープ引出口と、前記テープ引出口を開閉するために、前記ケース本体に往復スライド自在に案内支持されるドアと、前記ドアを閉じ付勢するドアばねとを含む磁気テープカートリッジにおいて、
前記ドアばねは、コイル部と、前記コイル部からそれぞれ下向きに連出された一対のばね腕とを一体に備えており、
一方の前記ばね腕は前記ドアに設けたばね掛け部に掛け止め、他方の前記ばね腕は前記ケース本体に設けたばね掛け部に掛け止めてあり、
前記ドアに、前記ばね腕のずり上がりを規制する規制構造が形成されており、
前記規制構造として、ドアの前記ばね掛け部の下部に、前記ばね腕の突端に設けた掛止爪を受け入れる横向きの爪受け溝が形成されていることを特徴とする磁気テープカートリッジ。
【請求項２】
上ケースと下ケースとを蓋合わせ状に結合してなるケース本体と、前記ケース本体の周壁に設けたテープ引出口と、前記テープ引出口を開閉するために、前記ケース本体に往復スライド自在に案内支持されるドアと、前記ドアを閉じ付勢するドアばねとを含む磁気テープカートリッジにおいて、
前記ドアばねは、コイル部と、前記コイル部からそれぞれ下向きに連出された一対のばね腕とを一体に備えており、
一方の前記ばね腕は前記ドアに設けたばね掛け部に掛け止め、他方の前記ばね腕は前記ケース本体に設けたばね掛け部に掛け止めてあり、
前記ドアに、前記ばね腕のずり上がりを規制する規制構造が形成されており、
前記規制構造として、前記ドアの前記ばね掛け部に、前記ばね腕の突端に設けた掛止爪を受け止める爪受け面が形成されており、
前記爪受け面をドア開き方向に上がり状に傾斜させてあることを特徴とする磁気テープカートリッジ。
【請求項３】
上ケースと下ケースとを蓋合わせ状に結合してなるケース本体と、前記ケース本体の周壁に設けたテープ引出口と、前記テープ引出口を開閉するために、前記ケース本体に往復スライド自在に案内支持されるドアと、前記ドアを閉じ付勢するドアばねとを含む磁気テープカートリッジにおいて、
前記ドアばねは、コイル部と、前記コイル部からそれぞれ下向きに連出された一対のばね腕とを一体に備えており、
一方の前記ばね腕は前記ドアに設けたばね掛け部に掛け止め、他方の前記ばね腕は前記ケース本体に設けたばね掛け部に掛け止めてあり、
前記下ケースおよび前記ドアに、前記ばね腕のずり上がりを規制する規制構造が形成されており、
前記規制構造として、前記ドアおよび前記下ケースの前記ばね掛け部に、前記ばね腕の突端にそれぞれ設けた掛止爪を受け止める爪受け面が形成されており、
ドア閉じ状態における前記両爪受け面を上すぼまり状に傾斜させてあることを特徴とする磁気テープカートリッジ。  
【発明の詳細な説明】
【技術分野】
【０００１】
本発明は、テープ引出口をスライド開閉するドアを備えている磁気テープカートリッジに関する。
【背景技術】
【０００２】
この種のテープカートリッジとして、例えば特許文献１では、テープ引出口をスライド開閉するためのドアがケース本体に組み込まれて、ドアばねで閉じ勝手に付勢されている。ドアばねは、めがね枠のように２個のコイル部を連続形成し、各コイル部から一対のばね腕を連出してあり、ドア用のガイド溝に配置してある。片方のばね腕はドアに形成したばね掛け溝（ばね掛け部）に掛け止め、他方のばね腕はケース内部のガイド壁に形成したばね掛け溝（ばね掛け部）に掛け止めてある。これらのばね掛け溝はいずれも縦長の垂直溝として形成されている。
【０００３】
同様のドア構造は特許文献２にもみられる。そこではドアの側端に、側端縁が開口するコ字状の切欠（ばね掛け部）を形成し、切欠の奥端面で片方のばね腕を受け止めている。この場合にも、ばね腕を受け止める奥端面と、ガイド壁に形成したばね掛け溝（ばね掛け部）とはそれぞれ垂直に形成してある。
【０００４】
【特許文献１】特開平１１−２６５５６０号公報（段落番号００１６、図１）
【特許文献２】特開２００３−５１１７２号公報（段落番号００１４、図２）
【発明の開示】
【発明が解決しようとする課題】
【０００５】
上記のように、２個のコイル部と一対のばね腕を一体に備えたドアばねは、ドアを開放操作した状態において、一対のばね腕が逆ハ字状に傾斜するため、ドアばねの全体が上方へずり上がる向きのばね反力を受ける。しかも、ドアばねはケース本体の内部において上下動する余地がある。そのため、ドアの開閉を繰り返すと、ドアばねが徐々に上方へずり上がり、コイル部の上周面がガイド溝に臨む上ケースの上壁で受け止められたり、あるいはドアばねの全体が傾斜姿勢で上壁に受け止められたりする。
【０００６】
上記のようにドアばねがずり上がったり、あるいはドアばねの全体が傾斜した状態のままで、ドアを開放してドアばねを巻き込み変形させると、ばね腕の連出基端部分がケース上壁で拘束されることがある。その結果、ドアばねの張力が過大となり、開放途中のドアが引っ掛かって完全に開放できなくなるなど、テープドライブへの装填時に機器故障を惹き起こすおそれがある。
【０００７】
本発明の目的は、ドアを開放する時のドアばねのずり上がりを確実に防止して、ドアばねのずり上がりに伴うドアの引っ掛かりや、ドアの開放不良などを一掃し、常に適正にドア開閉が行える磁気テープカートリッジを提供することにある。本発明の目的は、ドアやケースの構造、あるいは金型の構造を大幅に変更する必要もなくドアばねのずり上がりを防止でき、したがってより低コストで機能を充足し、信頼性を向上できる磁気テープカートリッジを提供することにある。
【課題を解決するための手段】
【０００８】
本発明の磁気テープカートリッジは、上ケース１ａと下ケース１ｂとを蓋合わせ状に結合してなるケース本体１と、ケース本体１の周壁に設けたテープ引出口４と、テープ引出口４を開閉するために、前記ケース本体１に往復スライド自在に案内支持されるドア８と、前記ドア８を閉じ付勢するドアばね１２とを含む。ドアばね１２は、コイル部２３・２３と、コイル部２３・２３からそれぞれ下向きに連出された一対のばね腕２５・２６とを一体に備えている。一方のばね腕２５は、ドア８に設けたばね掛け部２０に掛け止め、他方のばね腕２６はケース本体１に設けたばね掛け部３０に掛け止める。ドア８に、前記ばね腕２５・２６のずり上がりを規制する規制構造が形成されている。規制構造として、ドア８の前記ばね掛け部２０の下部に、前記ばね腕２５の突端に設けた掛止爪２７を受け入れる横向きの爪受け溝３４が形成されていることを特徴とする。
【０００９】
本発明の磁気テープカートリッジは、上ケース１ａと下ケース１ｂとを蓋合わせ状に結合してなるケース本体１と、ケース本体１の周壁に設けたテープ引出口４と、テープ引出口４を開閉するために、前記ケース本体1に往復スライド自在に案内支持されるドア８と、前記ドア８を閉じ付勢するドアばね１２とを含む。ドアばね１２は、コイル部２３・２３と、コイル部２３・２３からそれぞれ下向きに連出された一対のばね腕２５・２６とを一体に備えている。一方のばね腕２５は、ドア８に設けたばね掛け部２０に掛け止め、他方のばね腕２６はケース本体１に設けたばね掛け部３０に掛け止める。ドア８に、前記ばね腕２５・２６のずり上がりを規制する規制構造が形成されている。規制構造として、前記ドア８の前記ばね掛け部２０に、前記ばね腕２５の突端に設けた掛止爪２７を受け止める爪受け面２１が形成されており、前記爪受け面２１をドア開き方向に上がり状に傾斜させてあることを特徴とする。
【００１０】
本発明の磁気テープカートリッジは、上ケース１ａと下ケース１ｂとを蓋合わせ状に結合してなるケース本体１と、ケース本体１の周壁に設けたテープ引出口４と、テープ引出口４を開閉するために、前記ケース本体１に往復スライド自在に案内支持されるドア８と、前記ドア８を閉じ付勢するドアばね１２とを含む。ドアばね１２は、コイル部２３・２３と、コイル部２３・２３からそれぞれ下向きに連出された一対のばね腕２５・２６とを一体に備えている。一方のばね腕２５は、ドア８に設けたばね掛け部２０に掛け止め、他方のばね腕２６はケース本体１に設けたばね掛け部３０に掛け止める。前記下ケース１ａおよび前記ドア８に、前記ばね腕２５・２６のずり上がりを規制する規制構造形成されている。前記規制構造として、図１に示すように、ドア８および下ケース１ａのばね掛け部２０・３０に、前記ばね腕２５・２６の突端にそれぞれ設けた掛止爪を受け止める爪受け面２１・３１を形成する。以て、ドア閉じ状態における前記両爪受け面２１・３１を上すぼまり状に傾斜させてある。
【発明の効果】
【００１１】
本発明では、テープ引出口４をスライド開閉するドア８を備えた磁気テープカートリッジにおいて、ドアばね１２の一方のばね腕２５をドア８側のばね掛け部２０に掛け止め、ドアばね１２の他方のばね腕２６をケース本体１側のばね掛け部３０に掛け止めることにより、ドア８を閉じ付勢した。そのうえで、少なくとも下ケース１ｂに規制構造を設けたので、ドア８を開放する際のドアばね１２のずり上がりを確実に防止して、コイル部２３・２３の上周面が上ケース１ａの上壁内面に接触するのをよく防止できる。これにより、ドアばね１２のずり上がりに伴うドア８の引っ掛かりや、ドア８の開放不良などを一掃して、常に適正にドア開閉を行え、信頼性に優れた磁気テープカートリッジが得られる。
【００１２】
ドア８およびケース本体１のばね掛け部２０・３０には、それぞればね腕２５・２６の突端に設けた各掛止爪２７・２８を受け止める爪受け面２１・３１を形成し、ドア閉じ状態におけるこれら爪受け面２１・３１を、上すぼまり状に傾斜させてあると、爪受け面２１・３１を斜めに傾斜させるだけの、ごく簡単な構造変更を行うだけで規制構造を構成してドアばね１２のずり上がりを確実に防止できる。したがって、より低コストで必要機能を充足して信頼性の高い磁気テープカートリッジが得られる。
【００１３】
また、前記規制構造として、図６に示すように、前記ばね掛け部２０・３０の下部に、掛止爪２７・２８を受け入れる爪受け溝３４・３５を形成して規制構造とした磁気テープカートリッジによれば、ばね掛け部２０・３０の下部に爪受け溝３４・３５を付加形成するだけの構造変更でドアばね１２のずり上がりを確実に防止でき、より低コストで必要機能を充足した信頼性の高い磁気テープカートリッジが得られる。
【発明を実施するための最良の形態】
【００１４】
（実施例１）  図１ないし図５は本発明に係る単リール型の磁気テープカートリッジの実施例１を示す。図２において磁気テープカートリッジは、角箱状のプラスチック製ケース本体１と、ケース本体１の内部に収容される１個のテープリール２と、テープリール２に巻装される磁気テープ３とを備えている。ケース本体１は、上下に分割形成された上ケース１ａと下ケース１ｂとを蓋合わせ状に結合して形成してある。
【００１５】
ケース本体１の前壁の一側端には、テープ引出口４を有し、これの内部に軸状のテープ引出具５が位置する。テープ引出具５は、磁気テープ３の繰り出し端に装着されていて、上下の両端軸部がケース本体１の内面上下に設けた弾性変形可能な保持部６・６で係合捕捉されることにより、テープ引出口４に臨む状態で起立姿勢で待機保持される（図４参照）。
【００１６】
不使用時にテープ引出口４を閉じておくために、スライド開閉するドア８が、ケース本体１の前面内部に設けられている。ケース本体１には、これの前壁９と、前壁９の内方に設けたガイド壁１０との間にガイド溝１１が形成されており、ドア８はガイド溝１１に配置されて、往復スライド自在に案内支持される。図３および図５においてガイド溝１１に収容したドアばね１２で閉じ勝手に移動付勢されている。
【００１７】
図１においてドア８は、テープ引出口４を開閉する主面壁１５と、主面壁１５の開放始端側（図１の左側）に突設したばね受け壁１６とを一体に形成した板状のプラスチック成形品である。ばね受け壁１６の上面は、主面壁１５の上面より低い位置に設けられて段落ち部分１７を有し、この段落ち部分１７の側端に連続して下り傾斜するガイド面１８が形成してある。
【００１８】
ばね受け壁１６には、ドアばね１２の一方のばね腕２５を掛け止めるためのばね掛け部２０が形成されている。ばね掛け部２０は、ばね受け壁１６の側端で開口する台形状の凹みとして形成してあり、その奥端の爪受け面２１でばね腕２５の突端の掛止爪２７を受け止める。先に説明したガイド面１８の下端は、ばね掛け部２０の側端開口縁に連続している。
【００１９】
図１においてドアばね１２は、左右に隣接する２個のコイル部２３・２３と、両コイル部２３・２３の前端どうしを接続する橋絡部２４と、各コイル部２３・２３の後端からそれぞれ下向きに連出された一対のばね腕２５・２６とを一体に形成した、ばね線材製の捻りコイルばねからなり、一対のばね腕２５・２６が拡開する向きにばね弾性を発揮する。各ばね腕２５・２６の突端には、それぞれＬ字状の掛止爪２７・２８を折り曲げ形成してある。
【００２０】
図１に向かって右側のばね腕２５は、ドア８のばね受け壁１６に設けたばね掛け部２０に掛け止め、左側のばね腕２６は、ケース本体１に設けたばね掛け部３０に掛け止める。これにより、ドア８はドアばね１２のばね力を受けて閉じ側へ移動付勢され、不使用時にテープ引出口４を閉止する。この状態でのドアばね１２の両コイル部２３・２３は、図１に示すように、上ケース１ａの上壁から離れている。
【００２１】
ケース本体１の前壁９とガイド壁１０とは、それぞれ上ケース１ａおよび下ケース１ｂと一体にプラスチック形成されて、上下ケース１ａ・１ｂの接合面において上下に連続して、ドア８をスライド案内する。ドアばね１２の他方のばね腕２６（図１の左側）を掛け止めるために、下ケース１ｂ側のガイド壁１０には溝状のばね掛け部３０が設けられている。ばね掛け部３０の対向する溝壁のうち、符号３１で示す溝壁が、ばね腕２６の掛止爪２８を受け止める爪受け面３１として機能する。ばね掛け部３０の上開口は上ケース１ａ側のガイド壁１０で塞がれている。
【００２２】
ドア８を開閉するときドアばね１２が徐々にずり上がるのを防ぐために、ドア８側のばね掛け部２０と、ガイド壁１０側のばね掛け部３０とにそれぞれ規制構造が設けられている。この実施例では、ドア８を閉じた状態において、両ばね掛け部２０・３０の両爪受け面２１・３１を上すぼまり状に傾斜させて規制構造とした。詳しくは、ドア８側の爪受け面２１を図１に向かって左上がり状に傾斜させ、ガイド壁１０側の爪受け面３１を図１に向かって右上がり状に傾斜させた。
【００２３】
上記のように各爪受け面２１・３１が上すぼまり状に傾斜していると、各爪受け面２１・３１と掛止爪２７・２８との間に作用するばね反力の垂直分力の向きを常に下向きにできるので、各掛止爪２７・２８は各爪受け面２１・３１の下端で受け止められて安定しており、ドア８の開閉位置の如何にかかわらず、掛止爪２７・２８が上方へずり上がるのを防止できる。したがってドアばね１２が上方へずり上がるのを確実に防止できる。
【００２４】
例えば、落下衝撃を受けて掛止爪２７・２８が上方へ位置ずれしたとしても、ドア８を開閉することにより、掛止爪２７・２８は先の下向きの分力によって、再び爪受け面２１・３１の下端部分へ押し戻される。ドアばね１２をドア８およびガイド壁１０のばね掛け部２０・３０に仮組みした状態では、ドア８がドアばね１２のばね力によって上向きの傾動モーメントを受けるが、ドア８を押さえ保持することでドアばね１２がずり上がり、あるいは横移動するのを阻止できるので、上ケース１ａの組み付けをより簡便に行える。
【００２５】
磁気テープカートリッジをテープドライブに差し込み装填すると、ドア８の右側端がテープドライブ側の操作突起に当たって受け止められる。引き続き磁気テープカートリッジを差し込み操作することにより、ケース本体１のみがテープドライブ内方へ進入移動する結果、ドア８はドアばね１２の付勢力に抗して開放操作できる。このとき、ドアばね１２のコイル部２３は、ガイド面１８に案内されながら段落ち部分１７へと円滑に乗り上がる。
【００２６】
ドア８が開放移動する間に、ドアばね１２のばね腕２５・２６どうしは接近する向きに弾性変形し、両ばね腕２５・２６の縦方向の寸法成分が増えた分だけコイル部２３が上方へ移動する。しかし、先に説明したように、掛止爪２７・２８は下向きのばね反力を受けて、常に爪受け面２１・３１の下端部分に保持されている。したがって、ドア８を開放し始めてから、図４に示すように完全に開放操作し終わるまでの間に、コイル部２３の上周面が上ケース１ａの上壁に接触することはない。これにより、ドアばね１２のずり上がりに伴うドア８の開放不良を一掃して、常に適正にドア開閉が行える。
【００２７】
（実施例２）  図６は規制構造を変更した本発明の実施例２を示す。そこでは、ばね受け壁１６にコ字状の凹みからなるばね掛け部２０を形成した。さらに、下ケース１ｂ側のガイド壁１０に、縦溝状のばね掛け部３０を設けた。そのうえで、ドア８およびガイド壁１０のばね掛け部２０・３０の下部に、各掛止爪２７・２８を受け入れる爪受け溝３４・３５を横向きに形成して規制構造とした。
【００２８】
このように、横向きの爪受け溝３４・３５に各掛止爪２７・２８を掛け止めてあると、ドア８を開閉するとき掛止爪２７・２８が上方へ移動しようとしても、爪受け溝３４・３５の上側の溝壁で掛止爪２７・２８を受け止めて移動規制できるので、コイル部２３の上周面が上ケース１ａの上壁に接するのを確実に防止できる。上ケース１ａの組み付けがより簡便に行える点でも実施例１と同じである。他の構造は先の実施例１と同じであるので、同じ部材に同じ符号を付してその説明を省略する。以下の実施例においても同様に扱う。
【００２９】
上記の実施例以外に、実施例２における爪受け溝３４に変えて、コ字状に形成されるばね掛け部２０の奥端壁に横向きの突起を形成して、この突起とばね掛け部２０の底壁との間に爪受け溝３４に相当する凹みを形成してもよい。爪受け面２１・３１は、それぞれ凸弧面や凹弧面で形成することができる。必要に応じて、ガイド溝１１に臨む前壁９の内面には、先の規制リブ３７と同様に、掛止爪２７を受け止めてずり上がりを防ぐ横長の突起や横長の溝を形成してもよい。ドアばね１２は、コイル部２３が一つでもよい。
【図面の簡単な説明】
【００３０】
【図１】テープ引出口のドア構造を示す縦断正面図である。
【図２】磁気テープカートリッジの斜視図である。
【図３】図１におけるＡ−Ａ線断面図である。
【図４】ドアを開放した状態の縦断正面図である。
【図５】図１におけるＢ−Ｂ線断面図である。
【図６】実施例２に係るドア構造を示す縦断正面図である。
【符号の説明】
【００３１】
１  ケース本体
４  テープ引出口
８  ドア
９  ケース本体の前壁
１０  ガイド壁
１１  ガイド溝
１２  ドアばね
２０  ドア側のばね掛け部
２１  ドア側の爪受け面
２３  ドアばねのコイル部
２５・２６  ドアばねのばね腕
２７・２８  掛止爪
３０  ケース本体側のばね掛け部
３１  ケース本体側の爪受け面
【図１】
0004475532.tif 000002
【図２】
0004475532.tif 000003
【図３】
0004475532.tif 000004
【図４】
0004475532.tif 000005
【図５】
0004475532.tif 000006
【図６】
0004475532.tif 000007